(57)【特許請求の範囲】
【請求項１】
ロバストヘッダ圧縮ＲＯＨＣプロトコルに基づく切り替え方法であって、
ソース基地局から送信された第１のＲＯＨＣコンテキスト情報を受信するステップと、
前記第１のＲＯＨＣコンテキスト情報を学習して第２のＲＯＨＣコンテキスト情報を得るステップと、を含み、
前記第１のＲＯＨＣコンテキスト情報は、ソース基地局とユーザー端末とのインタラクションに使用されるＲＯＨＣのサービスストリームの第１のサービスストリームマークと、ソース基地局と前記ユーザー端末とのインタラクションに使用されるＲＯＨＣのデータストリームの第１のデータストリームマークと、ソース基地局と前記ユーザー端末とがインタラクションを取る際のＲＯＨＣを行う場合の第１のＲＯＨＣ動作モードと、ソース基地局と前記ユーザー端末とがインタラクションを取る際のＲＯＨＣを行う場合の第１の圧縮側と解凍側の状態と、ソース基地局と前記ユーザー端末とがインタラクションを取る際のＲＯＨＣに必要な第１の静的コンテキストと、ソース基地局と前記ユーザー端末とがインタラクションを取る際のＲＯＨＣに必要な第１の動的コンテキストとを含み、
前記第２のＲＯＨＣコンテキスト情報は、ターゲット基地局と前記ユーザー端末とのインタラクションに使用されるＲＯＨＣのサービスストリームの第２のサービスストリームマークと、ターゲット基地局と前記ユーザー端末とのインタラクションに使用されるＲＯＨＣのデータストリームの第２のデータストリームマークと、ターゲット基地局と前記ユーザー端末とがインタラクションを取る際のＲＯＨＣを行う場合の第２のＲＯＨＣ動作モードと、ターゲット基地局と前記ユーザー端末とがインタラクションを取る際のＲＯＨＣを行う場合の第２の圧縮側と解凍側の状態と、ターゲット基地局と前記ユーザー端末とがインタラクションを取る際のＲＯＨＣに必要な第２の静的コンテキストと、ターゲット基地局と前記ユーザー端末とがインタラクションを取る際のＲＯＨＣに必要な第２の動的コンテキストとを含む方法。
【請求項２】
前記ターゲット基地局が前記第１のＲＯＨＣコンテキスト情報を学習して第２のＲＯＨＣコンテキスト情報を得るステップは、
前記ターゲット基地局が、自身と前記ユーザー端末とのインタラクションに使用される第２のＲＯＨＣ動作モードとして前記第１のＲＯＨＣ動作モードを選択することと、
前記ターゲット基地局が、自身と前記ユーザー端末とのインタラクションに使用される第２の圧縮側と解凍側の状態として前記第１の圧縮側と解凍側の状態を選択することと、
前記ターゲット基地局が、前記第１の静的コンテキストを、自身と前記ユーザー端末とのインタラクションに使用される第２の静的コンテキストであって、サービスストリームを区別するための第２の静的コンテキストとすることと、
前記ターゲット基地局が、前記第１の動的コンテキストを、自身と前記ユーザー端末とのインタラクションに使用される第２の動的コンテキストであって、圧縮と解凍処理を行うための第２の動的コンテキストとすることと、
前記ターゲット基地局が、前記第１のサービスストリームマークと前記ターゲット基地局自身の状態とに基づいて、自身と前記ユーザー端末とのインタラクションに使用される第２のサービスストリームマークを設定することと、
前記ターゲット基地局が、前記第１のデータストリームマークと前記ターゲット基地局自身の状態とに基づいて、自身と前記ユーザー端末とのインタラクションに使用される第２のデータストリームマークを設定することと、を含む請求項１に記載の方法。
【請求項３】
前記ターゲット基地局が、前記第１のサービスストリームマークと前記ターゲット基地局自身の状態とに基づいて、自身と前記ユーザー端末とのインタラクションに使用される第２のサービスストリームマークを設定することは、
前記ターゲット基地局が前記ターゲット基地局自身の状態に基づいて、前記第１のサービスストリームマークから、前記ターゲット基地局にサポートされるサービスストリームマークを第３のサービスストリームマークとして決定することと、
前記ターゲット基地局が、前記ターゲット基地局にサポートされつつ前記第１のサービスストリームマークに含まれていないサービスストリームマークである第４のサービスストリームマークを取得することと、
前記ターゲット基地局が、前記第３のサービスストリームマークを前記第４のサービスストリームマークと共に、前記ターゲット基地局と前記ユーザー端末とのインタラクションに使用される第２のサービスストリームマークとすることと、を含み、
対応するように、前記ターゲット基地局が、前記第１のデータストリームマークと前記ターゲット基地局自身の状態とに基づいて、前記ターゲット基地局と前記ユーザー端末とのインタラクションに使用される第２のデータストリームマークを設定することは、
前記ターゲット基地局が前記ターゲット基地局自身の状態に基づいて、前記第１のデータストリームマークから、前記ターゲット基地局にサポートされるデータストリームマークを第３のデータストリームマークとして決定することと、
前記ターゲット基地局が、前記ターゲット基地局にサポートされつつ前記第１のデータストリームマークに含まれていないデータストリームマークである第４のデータストリームマークを取得することと、
前記ターゲット基地局が、前記第３のデータストリームマークを前記第４のデータストリームマークと共に、前記ターゲット基地局と前記ユーザー端末とのインタラクションに使用される第２のデータストリームマークとすることと、を含む請求項２に記載の方法。
【請求項４】
ロバストヘッダ圧縮ＲＯＨＣプロトコルに基づく切り替え方法であって、
ソース基地局が第１のＲＯＨＣコンテキスト情報を取得してターゲット基地局に送信するステップを含み、
前記第１のＲＯＨＣコンテキスト情報は、ソース基地局とユーザー端末とのインタラクションに使用されるＲＯＨＣのサービスストリームの第１のサービスストリームマークと、ソース基地局と前記ユーザー端末とのインタラクションに使用されるＲＯＨＣのデータストリームの第１のデータストリームマークと、ソース基地局と前記ユーザー端末とがインタラクションを取る際のＲＯＨＣを行う場合の第１のＲＯＨＣ動作モードと、ソース基地局と前記ユーザー端末とがインタラクションを取る際のＲＯＨＣを行う場合の第１の圧縮側と解凍側の状態と、ソース基地局と前記ユーザー端末とがインタラクションを取る際のＲＯＨＣに必要な第１の静的コンテキストと、ソース基地局と前記ユーザー端末とがインタラクションを取る際のＲＯＨＣに必要な第１の動的コンテキストとを含む方法。
【請求項５】
ソース基地局から送信された第１のＲＯＨＣコンテキスト情報を受信するように構成される受信ユニットと、
前記第１のＲＯＨＣコンテキスト情報を学習して第２のＲＯＨＣコンテキスト情報を得るように構成される学習ユニットと、
を備え、
前記第１のＲＯＨＣコンテキスト情報は、ソース基地局とユーザー端末とのインタラクションに使用されるＲＯＨＣのサービスストリームの第１のサービスストリームマークと、ソース基地局と前記ユーザー端末とのインタラクションに使用されるＲＯＨＣのデータストリームの第１のデータストリームマークと、ソース基地局と前記ユーザー端末とがインタラクションを取る際のＲＯＨＣを行う場合の第１のＲＯＨＣ動作モードと、ソース基地局と前記ユーザー端末とがインタラクションを取る際のＲＯＨＣを行う場合の第１の圧縮側と解凍側の状態と、ソース基地局と前記ユーザー端末とがインタラクションを取る際のＲＯＨＣに必要な第１の静的コンテキストと、ソース基地局と前記ユーザー端末とがインタラクションを取る際のＲＯＨＣに必要な第１の動的コンテキストとを含み、
前記第２のＲＯＨＣコンテキスト情報は、ターゲット基地局と前記ユーザー端末とのインタラクションに使用されるＲＯＨＣのサービスストリームの第２のサービスストリームマークと、ターゲット基地局と前記ユーザー端末とのインタラクションに使用されるＲＯＨＣのデータストリームの第２のデータストリームマークと、ターゲット基地局と前記ユーザー端末とがインタラクションを取る際のＲＯＨＣを行う場合の第２のＲＯＨＣ動作モードと、ターゲット基地局と前記ユーザー端末とがインタラクションを取る際のＲＯＨＣを行う場合の第２の圧縮側と解凍側の状態と、ターゲット基地局と前記ユーザー端末とがインタラクションを取る際のＲＯＨＣに必要な第２の静的コンテキストと、ターゲット基地局と前記ユーザー端末とがインタラクションを取る際のＲＯＨＣに必要な第２の動的コンテキストとを含むターゲット基地局。
【請求項６】
前記学習ユニットは、
自身と前記ユーザー端末とのインタラクションに使用される第２のＲＯＨＣ動作モードとして前記第１のＲＯＨＣ動作モードを選択するように構成される第１の学習手段と、
自身と前記ユーザー端末とのインタラクションに使用される第２の圧縮側と解凍側の状態として前記第１の圧縮側と解凍側の状態を選択するように構成される第２の学習手段と、
前記第１の静的コンテキストを、自身と前記ユーザー端末とのインタラクションに使用される第２の静的コンテキストであって、サービスストリームを区別するための第２の静的コンテキストとするように構成される第３の学習手段と、
前記第１の動的コンテキストを、自身と前記ユーザー端末とのインタラクションに使用される第２の動的コンテキストであって、圧縮と解凍処理を行うための第２の動的コンテキストとするように構成される第４の学習手段と、
前記第１のサービスストリームマークと前記ターゲット基地局自身の状態とに基づいて、自身と前記ユーザー端末とのインタラクションに使用される第２のサービスストリームマークを設定するように構成される第５の学習手段と、
前記第１のデータストリームマークと前記ターゲット基地局自身の状態とに基づいて、自身と前記ユーザー端末とのインタラクションに使用される第２のデータストリームマークを設定するように構成される第６の学習手段と、を含む請求項５に記載のターゲット基地局。
【請求項７】
前記第５の学習手段は、
前記ターゲット基地局自身の状態に基づいて、前記第１のサービスストリームマークから、前記ターゲット基地局にサポートされるサービスストリームマークを第３のサービスストリームマークとして決定するように構成される第１の決定サブ手段と、
前記ターゲット基地局にサポートされつつ前記第１のサービスストリームマークに含まれていないサービスストリームマークである第４のサービスストリームマークを取得するように構成される第１の取得サブ手段と、
前記第３のサービスストリームマークを前記第４のサービスストリームマークと共に、前記ターゲット基地局と前記ユーザー端末とのインタラクションに使用される第２のサービスストリームマークとするように構成される第１の学習サブ手段と、を含み、
対応するように、前記第６の学習手段は、
前記ターゲット基地局自身の状態に基づいて、前記第１のサービスストリームマークから、前記ターゲット基地局にサポートされるデータストリームマークを第３のデータストリームマークとして決定するように構成される第２の決定サブ手段と、
前記ターゲット基地局にサポートされつつ前記第１のデータストリームマークに含まれていないデータストリームマークである第４のデータストリームマークを取得するように構成される第２の取得サブ手段と、
前記第３のデータストリームマークを前記第４のデータストリームマークと共に、前記ターゲット基地局と前記ユーザー端末とのインタラクションに使用される第２のデータストリームマークとするように構成される第２の学習サブ手段と、を含む請求項６に記載のターゲット基地局。
【請求項８】
第１のＲＯＨＣコンテキスト情報を取得するように構成される取得ユニットと、
前記第１のＲＯＨＣコンテキスト情報をターゲット基地局へ送信するように構成される送信ユニットと、
を備え、
前記第１のＲＯＨＣコンテキスト情報は、ソース基地局とユーザー端末とのインタラクションに使用されるＲＯＨＣのサービスストリームの第１のサービスストリームマークと、ソース基地局と前記ユーザー端末とのインタラクションに使用されるＲＯＨＣのデータストリームの第１のデータストリームマークと、ソース基地局と前記ユーザー端末とがインタラクションを取る際のＲＯＨＣを行う場合の第１のＲＯＨＣ動作モードと、ソース基地局と前記ユーザー端末とがインタラクションを取る際のＲＯＨＣを行う場合の第１の圧縮側と解凍側の状態と、ソース基地局と前記ユーザー端末とがインタラクションを取る際のＲＯＨＣに必要な第１の静的コンテキストと、ソース基地局と前記ユーザー端末とがインタラクションを取る際のＲＯＨＣに必要な第１の動的コンテキストとを含むソース基地局。
【請求項９】
ソース基地局と、ターゲット基地局とを有するロバストヘッダ圧縮ＲＯＨＣプロトコルに基づく切り替えシステムであって、
前記ソース基地局が、
第１のＲＯＨＣコンテキスト情報を取得するように構成される取得ユニットと、
前記第１のＲＯＨＣコンテキスト情報をターゲット基地局へ送信するように構成される送信ユニットと、を備え、
前記ターゲット基地局が、
第１のＲＯＨＣコンテキスト情報を受信するように構成される受信ユニットと、
前記第１のＲＯＨＣコンテキスト情報を学習して第２のＲＯＨＣコンテキスト情報を得るように構成される学習ユニットと、を備え、
前記第１のＲＯＨＣコンテキスト情報は、前記ソース基地局とユーザー端末とのインタラクションに使用されるＲＯＨＣのサービスストリームの第１のサービスストリームマークと、ソース基地局と前記ユーザー端末とのインタラクションに使用されるＲＯＨＣのデータストリームの第１のデータストリームマークと、ソース基地局と前記ユーザー端末とがインタラクションを取る際のＲＯＨＣを行う場合の第１のＲＯＨＣ動作モードと、ソース基地局と前記ユーザー端末とがインタラクションを取る際のＲＯＨＣを行う場合の第１の圧縮側と解凍側の状態と、ソース基地局と前記ユーザー端末とがインタラクションを取る際のＲＯＨＣに必要な第１の静的コンテキストと、ソース基地局と前記ユーザー端末とがインタラクションを取る際のＲＯＨＣに必要な第１の動的コンテキストとを含み、
前記第２のＲＯＨＣコンテキスト情報は、前記ターゲット基地局と前記ユーザー端末とのインタラクションに使用されるＲＯＨＣのサービスストリームの第２のサービスストリームマークと、ターゲット基地局と前記ユーザー端末とのインタラクションに使用されるＲＯＨＣのデータストリームの第２のデータストリームマークと、ターゲット基地局と前記ユーザー端末とがインタラクションを取る際のＲＯＨＣを行う場合の第２のＲＯＨＣ動作モードと、ターゲット基地局と前記ユーザー端末とがインタラクションを取る際のＲＯＨＣを行う場合の第２の圧縮側と解凍側の状態と、ターゲット基地局と前記ユーザー端末とがインタラクションを取る際のＲＯＨＣに必要な第２の静的コンテキストと、ターゲット基地局と前記ユーザー端末とがインタラクションを取る際のＲＯＨＣに必要な第２の動的コンテキストとを含むシステム。
【請求項１０】
前記学習ユニットは、
自身と前記ユーザー端末とのインタラクションに使用される第２のＲＯＨＣ動作モードとして前記第１のＲＯＨＣ動作モードを選択するように構成される第１の学習手段と、
自身と前記ユーザー端末とのインタラクションに使用される第２の圧縮側と解凍側の状態として前記第１の圧縮側と解凍側の状態を選択するように構成される第２の学習手段と、
前記第１の静的コンテキストを、自身と前記ユーザー端末とのインタラクションに使用される第２の静的コンテキストであって、サービスストリームを区別するための第２の静的コンテキストとするように構成される第３の学習手段と、
前記第１の動的コンテキストを、自身と前記ユーザー端末とのインタラクションに使用される第２の動的コンテキストであって、圧縮と解凍処理を行うための第２の動的コンテキストとするように構成される第４の学習手段と、
前記第１のサービスストリームマーク、前記第１のデータストリームマーク、及び前記ターゲット基地局自身の状態に基づいて、自身と前記ユーザー端末とのインタラクションに使用される第２のサービスストリームマークを設定するように構成される第５の学習手段と、
前記第１のサービスストリームマーク、前記第１のデータストリームマーク、及び前記ターゲット基地局自身の状態に基づいて、自身と前記ユーザー端末とのインタラクションに使用される第２のデータストリームマークを設定するように構成される第６の学習手段と、を含む請求項９に記載のシステム。
【請求項１１】
前記第５の学習手段は、
前記ターゲット基地局自身の状態に基づいて、前記第１のサービスストリームマークから、前記ターゲット基地局にサポートされるサービスストリームマークを第３のサービスストリームマークとして決定するように構成される第１の決定サブ手段と、
前記ターゲット基地局にサポートされつつ前記第１のサービスストリームマークに含まれていないサービスストリームマークである第４のサービスストリームマークを取得するように構成される第１の取得サブ手段と、
前記第３のサービスストリームマークを前記第４のサービスストリームマークと共に、前記ターゲット基地局と前記ユーザー端末とのインタラクションに使用される第２のサービスストリームマークとするように構成される第１の学習サブ手段と、を含み、
対応するように、前記第６の学習手段は、
前記ターゲット基地局自身の状態に基づいて、前記第１のサービスストリームマークから、前記ターゲット基地局にサポートされるデータストリームマークを第３のデータストリームマークとして決定するように構成される第２の決定サブ手段と、
前記ターゲット基地局にサポートされつつ前記第１のデータストリームマークに含まれていないデータストリームマークである第４のデータストリームマークを取得するように構成される第２の取得サブ手段と、
前記第３のデータストリームマークを前記第４のデータストリームマークと共に、前記ターゲット基地局と前記ユーザー端末とのインタラクションに使用される第２のデータストリームマークとするように構成される第２の学習サブ手段と、を含む請求項１０に記載のシステム。
【請求項１２】
コンピュータ実行可能なコマンドが格納されているコンピュータ読み取り可能な記憶媒体であって、
前記コンピュータ実行可能なコマンドは、請求項１乃至３のうち何れか一項に記載のロバストヘッダ圧縮ＲＯＨＣプロトコルに基づく切り替え方法を実行するためのものであり、及び／又は
前記コンピュータ実行可能なコマンドは、請求項４に記載のロバストヘッダ圧縮ＲＯＨＣプロトコルに基づく切り替え方法を実行するためのものである記憶媒体。
【発明の詳細な説明】
【技術分野】
【０００１】
本発明は、無線通信領域の切り替え技術に関し、特に、ロバストヘッダ圧縮（ＲＯＨＣ、Robust Header Compression）プロトコルに基づく切り替え方法、ソース基地局、ターゲット基地局、システム、記憶媒体に関する。
【背景技術】
【０００２】
ＲＯＨＣはインターネットプロトコル（ＩＰ、Internet Protocol）に基づく汎用の圧縮技術であり、第３世代（３Ｇ、The Third Generation）移動通信のいかなる規格にも、長期的進化（ＬＴＥ、Long Term Evolution）等の技術にも適用できるＲＯＨＣは、極度に悪いチャネル条件下で過大なヘッダのバイト数を１バイト程度に圧縮させることができ、バンドワイズの利用率を大幅に向上させる。
【０００３】
ＲＯＨＣは、基地局とユーザー端末との間で、圧縮器と解凍器によるヘッダの圧縮と解凍をそれぞれ実現するように動作することができる。圧縮と解凍において、圧縮器と解凍器は、圧縮効率を効率よく維持するために、それぞれコンテキスト情報を保持することが要求され、当該コンテキスト情報を取得するには、圧縮器と解凍器による学習を必要とし、コンテキスト情報をなくしたら、ＲＯＨＣを初期状態に復元させ、改めて学習して新しいコンテキストを保持しなければならないが、学習中におけるＲＯＨＣの圧縮効率が非常に低い。このため、ユーザー端末が基地局Ａの受信領域から他の基地局Ｂの受信領域に移動する際に、ユーザー端末が基地局Ａから基地局Ｂに切り替わることになり、基地局Ｂが当該ユーザー端末に対応するコンテキスト情報を持っていないため、ＲＯＨＣによる再学習がなければ、コンテキスト情報を取得することができず、その結果、ユーザー端末が基地局間で切り替わった後、ＲＯＨＣの圧縮効率が非常に低くなる。
【発明の概要】
【発明が解決しようとする課題】
【０００４】
これに鑑みて、本発明の実施例は、ユーザー端末が基地局間で切り替わった後においても、圧縮効率を高く保持することができるロバストヘッダ圧縮プロトコルに基づく切り替え方法、ソース基地局、ターゲット基地局、システム、記憶媒体を提供する。
【課題を解決するための手段】
【０００５】
本発明の実施例の技術案を以下のように達成する。
【０００６】
第１の発明において、本発明の実施例によれば、ロバストヘッダ圧縮ＲＯＨＣプロトコルに基づく切り替え方法が提供され、前記方法は、
ソース基地局から送信された第１のＲＯＨＣコンテキスト情報を受信するステップと、
前記第１のＲＯＨＣコンテキスト情報を学習して第２のＲＯＨＣコンテキスト情報を得るステップと、を含む。
【０００７】
前記第１のＲＯＨＣコンテキスト情報は、ソース基地局とユーザー端末とのインタラクションに使用されるＲＯＨＣコンテキスト情報であり、前記第１のＲＯＨＣコンテキスト情報は、
前記ソース基地局とユーザー端末とのインタラクションに使用される第１のサービスストリームマークと、第１のデータストリームマークと、第１のＲＯＨＣ動作モードと、第１の圧縮側と解凍側の状態と、第１の静的コンテキストと、第１の動的コンテキストとを含み、
前記第２のＲＯＨＣコンテキスト情報は、ターゲット基地局と前記ユーザー端末とのインタラクションに使用される第２のサービスストリームマークと、第２のデータストリームマークと、第２のＲＯＨＣ動作モードと、第２の圧縮側と解凍側の状態と、第２の静的コンテキストと、第２の動的コンテキストとを含むことが好ましい。
【０００８】
前記ターゲット基地局が前記第１のＲＯＨＣコンテキスト情報を学習して第２のＲＯＨＣコンテキスト情報を得るステップは、
前記ターゲット基地局が、自身と前記ユーザー端末とのインタラクションに使用される第２のＲＯＨＣ動作モードとして前記第１のＲＯＨＣ動作モードを選択することと、
前記ターゲット基地局が、自身と前記ユーザー端末とのインタラクションに使用される第２の圧縮側と解凍側の状態として前記第１の圧縮側と解凍側の状態を選択することと、
前記ターゲット基地局が、前記第１の静的コンテキストを、自身と前記ユーザー端末とのインタラクションに使用される第２の静的コンテキストであって、サービスストリームを区別するための第２の静的コンテキストとすることと、
前記ターゲット基地局が、前記第１の動的コンテキストを、自身と前記ユーザー端末とのインタラクションに使用される第２の動的コンテキストであって、圧縮と解凍処理を行うための第２の動的コンテキストとすることと、
前記ターゲット基地局が、前記第１のサービスストリームマークと前記ターゲット基地局自身の状態とに基づいて、自身と前記ユーザー端末とのインタラクションに使用される第２のサービスストリームマークを設定することと、
前記ターゲット基地局が、前記第１のデータストリームマークと前記ターゲット基地局自身の状態とに基づいて、自身と前記ユーザー端末とのインタラクションに使用される第２のデータストリームマークを設定することと、を含むことが好ましい。
【０００９】
前記ターゲット基地局が、前記第１のサービスストリームマークと前記ターゲット基地局自身の状態とに基づいて、自身と前記ユーザー端末とのインタラクションに使用される第２のサービスストリームマークを設定することは、
前記ターゲット基地局が前記ターゲット基地局自身の状態に基づいて、前記第１のサービスストリームマークから、前記ターゲット基地局にサポートされる第１のサービスストリームマークである第３のサービスストリームマークを決定することと、
前記ターゲット基地局が、前記ターゲット基地局にサポートされつつ前記第１のサービスストリームマークに含まれていないサービスストリームマークである第４のサービスストリームマークを取得することと、
前記ターゲット基地局が、前記第３のサービスストリームマークを前記第４のサービスストリームマークと共に、前記ターゲット基地局と前記ユーザー端末とのインタラクションに使用される第２のサービスストリームマークとすることと、を含み、
対応するように、前記ターゲット基地局が、前記第１のデータストリームマークと前記ターゲット基地局自身の状態とに基づいて、前記ターゲット基地局と前記ユーザー端末とのインタラクションに使用される第２のサービスストリームマークを設定することは、
前記ターゲット基地局が前記ターゲット基地局自身の状態に基づいて、前記第１のデータストリームマークから、前記ターゲット基地局にサポートされる第１のデータストリームマークである第３のデータストリームマークを決定することと、
前記ターゲット基地局が、前記ターゲット基地局にサポートされつつ前記第１のデータストリームマークに含まれていないデータストリームマークである第４のデータストリームマークを取得することと、
前記ターゲット基地局が、前記第３のデータストリームマークを前記第４のデータストリームマークと共に、前記ターゲット基地局と前記ユーザー端末とのインタラクションに使用される第２のデータストリームマークとすることと、を含むことが好ましい。
【００１０】
第２の発明において、本発明の実施例によれば、ロバストヘッダ圧縮ＲＯＨＣプロトコルに基づく切り替え方法が提供され、前記方法は、
ソース基地局が第１のＲＯＨＣコンテキスト情報を取得してターゲット基地局に送信するステップ、を含む。
【００１１】
前記第１のＲＯＨＣコンテキスト情報は、ソース基地局とユーザー端末とのインタラクションに使用される第１のサービスストリームマークと、第１のデータストリームマークと、第１のＲＯＨＣ動作モードと、第１の圧縮側と解凍側の状態と、第１の静的コンテキストと、第１の動的コンテキストとを含むことが好ましい。
【００１２】
第３の発明において、本発明の実施例によれば、ターゲット基地局が提供され、前記ターゲット基地局は、
第１のＲＯＨＣコンテキスト情報を受信するように構成される受信ユニットと、
前記第１のＲＯＨＣコンテキスト情報を学習して第２のＲＯＨＣコンテキスト情報を得るように構成される学習ユニットと、を備える。
【００１３】
前記第１のＲＯＨＣコンテキスト情報は、ソース基地局と前記ユーザー端末とのインタラクションに使用される第１のサービスストリームマークと、第１のデータストリームマークと、第１のＲＯＨＣ動作モードと、第１の圧縮側と解凍側の状態と、第１の静的コンテキストと、第１の動的コンテキストとを含み、
前記第２のＲＯＨＣコンテキスト情報は、ターゲット基地局と前記ユーザー端末とのインタラクションに使用される第２のサービスストリームマークと、第２のデータストリームマークと、第２のＲＯＨＣ動作モードと、第２の圧縮側と解凍側の状態と、第２の静的コンテキストと、第２の動的コンテキストとを含むことが好ましい。
【００１４】
前記学習ユニットは、具体的には、
自身と前記ユーザー端末とのインタラクションに使用される第２のＲＯＨＣ動作モードとして前記第１のＲＯＨＣ動作モードを選択するように構成される第１の学習手段と、
自身と前記ユーザー端末とのインタラクションに使用される第２の圧縮側と解凍側の状態として前記第１の圧縮側と解凍側の状態を選択するように構成される第２の学習手段と、
前記第１の静的コンテキストを、自身と前記ユーザー端末とのインタラクションに使用される第２の静的コンテキストであって、サービスストリームを区別するための第２の静的コンテキストとするように構成される第３の学習手段と、
前記第１の動的コンテキストを、自身と前記ユーザー端末とのインタラクションに使用される第２の動的コンテキストであって、圧縮と解凍処理を行うための第２の動的コンテキストとするように構成される第４の学習手段と、
前記第１のサービスストリームマークと前記ターゲット基地局自身の状態とに基づいて、自身と前記ユーザー端末とのインタラクションに使用される第２のサービスストリームマークを設定するように構成される第５の学習手段と、
前記第１のデータストリームマークと前記ターゲット基地局自身の状態とに基づいて、自身と前記ユーザー端末とのインタラクションに使用される第２のデータストリームマークを設定するように構成される第６の学習手段と、を含むことが好ましい。
【００１５】
前記第５の学習手段は、
前記ターゲット基地局自身の状態に基づいて、前記第１のサービスストリームマークから、前記ターゲット基地局にサポートされる第１のサービスストリームマークである第３のサービスストリームマークを決定するように構成される第１の決定サブ手段と、
前記ターゲット基地局にサポートされつつ前記第１のサービスストリームマークに含まれていないサービスストリームマークである第４のサービスストリームマークを取得するように構成される第１の取得サブ手段と、
前記第３のサービスストリームマークを前記第４のサービスストリームマークと共に、前記ターゲット基地局と前記ユーザー端末とのインタラクションに使用される第２のサービスストリームマークとするように構成される第１の学習サブ手段と、を含み、
対応するように、前記第６の学習手段は、
前記ターゲット基地局自身の状態に基づいて、前記第１のサービスストリームマークから、前記ターゲット基地局にサポートされる第１のデータストリームマークである第３のデータストリームマークを決定するように構成される第２の決定サブ手段と、
前記ターゲット基地局にサポートされつつ前記第１のデータストリームマークに含まれていないデータストリームマークである第４のデータストリームマークを取得するように構成される第２の取得サブ手段と、
前記第３のデータストリームマークを前記第４のデータストリームマークと共に、前記ターゲット基地局と前記ユーザー端末とのインタラクションに使用される第２のデータストリームマークとするように構成される第２の学習サブ手段と、を含むことが好ましい。
【００１６】
第４の発明において、本発明の実施例によれば、ソース基地局が提供され、前記ソース基地局は、
第１のＲＯＨＣコンテキスト情報を取得するように構成される取得ユニットと、
前記第１のＲＯＨＣコンテキスト情報をターゲット基地局へ送信するように構成される送信ユニットと、を備える。
【００１７】
前記第１のＲＯＨＣコンテキスト情報は、ソース基地局とユーザー端末とのインタラクションに使用される第１のサービスストリームマークと、第１のデータストリームマークと、第１のＲＯＨＣ動作モードと、第１の圧縮側と解凍側の状態と、第１の静的コンテキストと、第１の動的コンテキストとを含むことが好ましい。
【００１８】
第５の発明において、本発明の実施例によれば、ソース基地局と、ターゲット基地局とを有するロバストヘッダ圧縮ＲＯＨＣプロトコルに基づく切り替えシステムが提供され、
前記基地局が、
第１のＲＯＨＣコンテキスト情報を取得するように構成される取得ユニットと、
前記第１のＲＯＨＣコンテキスト情報をターゲット基地局へ送信するように構成される送信ユニットと、を備え、
前記ターゲット基地局が、
第１のＲＯＨＣコンテキスト情報を受信するように構成される受信ユニットと、
前記第１のＲＯＨＣコンテキスト情報を学習して第２のＲＯＨＣコンテキスト情報を得るように構成される学習ユニットと、を備える。
【００１９】
前記第１のＲＯＨＣコンテキスト情報は、ソース基地局とユーザー端末とのインタラクションに使用される第１のサービスストリームマークと、第１のデータストリームマークと、第１のＲＯＨＣ動作モードと、第１の圧縮側と解凍側の状態と、第１の静的コンテキストと、第１の動的コンテキストとを含み、
前記第２のＲＯＨＣコンテキスト情報は、前記ターゲット基地局と前記ユーザー端末とのインタラクションに使用される第２のサービスストリームマークと、第２のデータストリームマークと、第２のＲＯＨＣ動作モードと、第２の圧縮側と解凍側の状態と、第２の静的コンテキストと、第２の動的コンテキストとを含むことが好ましい。
【００２０】
前記学習ユニットは、
自身と前記ユーザー端末とのインタラクションに使用される第２のＲＯＨＣ動作モードとして前記第１のＲＯＨＣ動作モードを選択するように構成される第１の学習手段と、
自身と前記ユーザー端末とのインタラクションに使用される第２の圧縮側と解凍側の状態として前記第１の圧縮側と解凍側の状態を選択するように構成される第２の学習手段と、
前記第１の静的コンテキストを、自身と前記ユーザー端末とのインタラクションに使用される第２の静的コンテキストであって、サービスストリームを区別するための第２の静的コンテキストとするように構成される第３の学習手段と、
前記第１の動的コンテキストを、自身と前記ユーザー端末とのインタラクションに使用される第２の動的コンテキストであって、圧縮と解凍処理を行うための第２の動的コンテキストとするように構成される第４の学習手段と、
前記第１のサービスストリームマーク、前記第１のデータストリームマーク、及び前記ターゲット基地局自身の状態に基づいて、自身と前記ユーザー端末とのインタラクションに使用される第２のサービスストリームマークを設定するように構成される第５の学習手段と、
前記第１のサービスストリームマーク、前記第１のデータストリームマーク、及び前記ターゲット基地局自身の状態に基づいて、自身と前記ユーザー端末とのインタラクションに使用される第２のデータストリームマークを設定するように構成される第６の学習手段と、を含むことが好ましい。
【００２１】
前記第５の学習手段は、
前記ターゲット基地局自身の状態に基づいて、前記第１のサービスストリームマークから、前記ターゲット基地局にサポートされる第１のサービスストリームマークである第３のサービスストリームマークを決定するように構成される第１の決定サブ手段と、
前記ターゲット基地局にサポートされつつ前記第１のサービスストリームマークに含まれていないサービスストリームマークである第４のサービスストリームマークを取得するように構成される第１の取得サブ手段と、
前記第３のサービスストリームマークを前記第４のサービスストリームマークと共に、前記ターゲット基地局と前記ユーザー端末とのインタラクションに使用される第２のサービスストリームマークとするように構成される第１の学習サブ手段と、を含み、
対応するように、前記第６の学習手段は、
前記ターゲット基地局自身の状態に基づいて、前記第１のサービスストリームマークから、前記ターゲット基地局にサポートされる第１のデータストリームマークである第３のデータストリームマークを決定するように構成される第２の決定サブ手段と、
前記ターゲット基地局にサポートされつつ前記第１のデータストリームマークに含まれていないデータストリームマークである第４のデータストリームマークを取得するように構成される第２の取得サブ手段と、
前記第３のデータストリームマークを前記第４のデータストリームマークと共に、前記ターゲット基地局と前記ユーザー端末とのインタラクションに使用される第２のデータストリームマークとするように構成される第２の学習サブ手段と、を含むことが好ましい。
【００２２】
第６の発明において、本発明の実施例によれば、コンピュータ実行可能なコマンドが格納されているコンピュータ読み取り可能な記憶媒体が提供され、前記コンピュータ実行可能なコマンドは、上述した各実施例で提供されるＲＯＨＣプロトコルに基づく切り替え方法を実行するためのものである。
【発明の効果】
【００２３】
本発明の実施例で提供される切り替え方法、システム、ソース基地局、ターゲット基地局、記憶媒体によると、ユーザー端末が切り替わる中、ソース基地局が第１のＲＯＨＣコンテキスト情報をターゲット基地局へ送信することにより、ターゲット基地局が当該第１のＲＯＨＣコンテキスト情報を学習して第２のＲＯＨＣコンテキスト情報を得ることができ、こうすれば、ユーザー端末が基地局間で切り替わった後においても、圧縮効率を高く保持することができる。
【図面の簡単な説明】
【００２４】
【図１】本発明の実施例で提供される応用場面を示す図である。
【図２】本発明の実施例に係わるＲＯＨＣプロトコルに基づく切り替え方法の流れを示す図である。
【図３】本発明の実施例に係わる更なるＲＯＨＣプロトコルに基づく切り替え方法の流れを示す図である。
【図４】本発明の実施例に係わるＲＯＨＣプロトコルに基づく切り替え方法の詳細な流れを示す図である。
【図５】本発明の実施例に係わるターゲット基地局の構造を示す図である。
【図６】本発明の実施例に係わるソース基地局の構造を示す図である。
【図７】本発明の実施例に係わるＲＯＨＣプロトコルに基づく切り替えシステムの構造を示す図である。
【図８】本発明の実施例に係わる更なるＲＯＨＣプロトコルに基づく切り替えシステムの構造を示す図である。
【図９】本発明の実施例に係わるＲＯＨＣプロトコルに基づく切り替えシステムの構造を示す図である。
【図１０】本発明の実施例に係わる更なるＲＯＨＣプロトコルに基づく切り替えシステムの構造を示す図である。
【発明を実施するための形態】
【００２５】
以下、本発明の実施例における図面を結合しながら本発明の実施例における技術案を明瞭かつ完全に説明する。
【００２６】
本発明の実施例の技術案を明瞭に説明できるように、図１に示すようなシステムアーキテクチャ進化（ＳＡＥ、System Architecture Evolution）システムの応用場面において、本発明の実施例に記載された技術案を説明することができるが、該応用場面は本発明の実施例の技術案を例示的に説明するものであり、本発明の実施例で提供される技術案が該場面のみに適用されることを意味していないことに注目すべきであり、また、この応用場面に類似した応用場面にも本発明の実施例で提示される技術案が適用されることは理解できるものである。図１において、基地局Ａ１２と基地局Ｂ１３が進化型基地局（ｅＮＢ、evolved Node B）であってもよく、モビリティ管理エンティティ１４（ＭＭＥ、Mobility Management Entity）がモビリティ管理、シグナリング処理などの機能を担当するように配置され、サービングゲートウェイ１５（Ｓ―ＧＷ、Serving Gateway）がメディアストリーム処理及び転送等の機能を担当し、パケットデータゲートウェイ１６（Ｐ―ＧＷ、PDN Gateway）が外部ネットワークとのインターフェースゲートウェイである。
【００２７】
ユーザー端末（ＵＥ、User Equipment）１１が基地局Ａ１２のカバレッジから基地局Ｂ１３のカバレッジに移動する際に、点線矢印に示すように、ＵＥ１１が基地局Ａ１２から基地局Ｂ１３に切り替わることが必要であり、この場合、基地局Ａ１２をソース基地局と、基地局Ｂ１３をターゲット基地局と読み替えてもよい。基地局Ｂ１３に切り替わった後、基地局Ｂ１３がＵＥ１１との間にＲＯＨＣに関するコンテキスト情報を持っていないため、従来技術を背景に、切り替えが完了した後、ＵＥ１１とターゲット基地局Ｂ１３の双方は、それぞれインタラクションを取る中におけるＲＯＨＣ処理に必要なＲＯＨＣ情報を取得するように、初期状態から改めて学習しながらＲＯＨＣのコンテキスト情報を保持する必要があり、その結果、ユーザー端末が基地局間で切り替わった後、ＲＯＨＣの圧縮効率が非常に低くなる。
【００２８】
図２を参照して、本発明の実施例に係わる図１に示す応用場面で提供されるＲＯＨＣプロトコルに基づく切り替え方法は、以下のステップＳ２０１〜Ｓ２０２を含む。
【００２９】
Ｓ２０１：ターゲット基地局が、ソース基地局から送信された第１のＲＯＨＣコンテキスト情報を受信する。
【００３０】
例示的には、ターゲット基地局は、基地局間の切り替え中における任意時刻でソース基地局から第１のＲＯＨＣコンテキスト情報を受信することができ、本実施例において、第１のＲＯＨＣコンテキスト情報をＲＯＨＣ同期情報として受信してもよいが、本発明の実施例ではこれについて何ら限定されていない。同様に、ＲＯＨＣ同期情報の具体的な形式として、個別のシグナリング情報であってもよいし、切り替え中に、ソース基地局から送信されたメッセージにカスタムフィールドの形で付加されるもの等であってもよいが、本発明の実施例ではこれについても何ら限定されていない。
【００３１】
ここで、前記第１のＲＯＨＣコンテキスト情報は、ソース基地局とユーザー端末とがインタラクションを取る際のＲＯＨＣを行う場合に使用されるＲＯＨＣコンテキスト情報である。
【００３２】
さらに、前記第１のＲＯＨＣコンテキスト情報は、前記ソース基地局と前記ユーザー端末とのインタラクションに使用される第１のサービスストリームマークと、第１のデータストリームマークと、第１のＲＯＨＣ動作モードと、第１の圧縮側と解凍側の状態と、第１の静的コンテキストと、第１の動的コンテキストとを含むことができ、第１のサービスストリームマークと第１のデータストリームマークは、それぞれ、ソース基地局がユーザー端末とインタラクションを取る際にサポートするＲＯＨＣのサービスストリームとデータストリームのマークであり、第１のＲＯＨＣ動作モードは、ソース基地局と前記ユーザー端末とがインタラクションを取る際のＲＯＨＣを行う場合の動作モードであり、第１の圧縮側と解凍側の状態は、前記ソース基地局と前記ユーザー端末とがインタラクションを取る際のＲＯＨＣを行う場合の圧縮側と解凍側の状態であり、第１の静的コンテキストは、前記ソース基地局と前記ユーザー端末とがインタラクションを取る際のＲＯＨＣに必要な静的コンテキストであり、第１の動的コンテキストは、前記ソース基地局と前記ユーザー端末とがインタラクションを取る際のＲＯＨＣに必要な動的コンテキストである。
【００３３】
Ｓ２０２：ユーザー端末が切り替わった後、ターゲット基地局が前記第１のＲＯＨＣコンテキスト情報を学習して第２のＲＯＨＣコンテキスト情報を得る。
【００３４】
例示的には、前記第２のＲＯＨＣコンテキスト情報は、ターゲット基地局とユーザー端末とがインタラクションを取る際のＲＯＨＣを行う場合に使用されるＲＯＨＣコンテキスト情報であり、第２のサービスストリームマークと、第２のデータストリームマークと、第２のＲＯＨＣ動作モードと、第２の圧縮側と解凍側の状態と、第２の静的コンテキストと、第２の動的コンテキストとを含むことができる。
【００３５】
前記第２のＲＯＨＣコンテキスト情報は、ステップＳ２０１で説明した第１のＲＯＨＣコンテキスト情報に類似して、具体的に以下のように説明される。第２のサービスストリームマークと第２のデータストリームマークは、それぞれ、ターゲット基地局がユーザー端末とインタラクションを取る際にサポートするＲＯＨＣのサービスストリームとデータストリームのマークであり、第２のＲＯＨＣ動作モードは、ターゲット基地局と前記ユーザー端末とがインタラクションを取る際のＲＯＨＣを行う場合の動作モードであり、第２の圧縮側と解凍側の状態は、前記ターゲット基地局と前記ユーザー端末とがインタラクションを取る際のＲＯＨＣを行う場合の圧縮側と解凍側の状態であり、第２の静的コンテキストと第２の動的コンテキストは、前記ターゲット基地局と前記ユーザー端末とがインタラクションを取る際のＲＯＨＣに必要な静的コンテキストと動的コンテキストである。
【００３６】
ここで、ターゲット基地局が前記第１のＲＯＨＣコンテキスト情報を学習して第２のＲＯＨＣコンテキスト情報を得るステップは、
ターゲット基地局が、自身と前記ユーザー端末とのインタラクションに使用される第２のＲＯＨＣ動作モードとして前記第１のＲＯＨＣ動作モードを選択することと、
前記ターゲット基地局が、自身と前記ユーザー端末とのインタラクションに使用される第２の圧縮側と解凍側の状態として前記第１の圧縮側と解凍側の状態を選択することと、
前記ターゲット基地局が、前記第１の静的コンテキストを、自身と前記ユーザー端末とのインタラクションに使用される第２の静的コンテキストであって、サービスストリームを区別するための第２の静的コンテキストとすることと、
前記ターゲット基地局が、前記第１の動的コンテキストを、自身と前記ユーザー端末とのインタラクションに使用される第２の動的コンテキストであって、圧縮と解凍処理を行うための第２の動的コンテキストとすることと、
前記ターゲット基地局が、前記第１のサービスストリームマークと前記ターゲット基地局自身の状態とに基づいて、自身と前記ユーザー端末とのインタラクションに使用される第２のサービスストリームマークを設定することと、
前記ターゲット基地局が、前記第１のデータストリームマークと前記ターゲット基地局自身の状態とに基づいて、自身と前記ユーザー端末とのインタラクションに使用される第２のデータストリームマークを設定することと、を含む。
【００３７】
さらに、ターゲット基地局が、前記第１のサービスストリームマークと前記ターゲット基地局自身の状態とに基づいて、自身と前記ユーザー端末とのインタラクションに使用される第２のサービスストリームマークを設定することは、具体的には、
ターゲット基地局が前記ターゲット基地局自身の状態に基づいて、前記第１のサービスストリームマークから、前記ターゲット基地局にサポートされる第１のサービスストリームマークである第３のサービスストリームマークを決定することと、
前記ターゲット基地局が、前記ターゲット基地局にサポートされつつ前記第１のサービスストリームマークに含まれていないサービスストリームマークである第４のサービスストリームマークを取得することと、
前記ターゲット基地局が、前記第３のサービスストリームマークを前記第４のサービスストリームマークと共に、前記ターゲット基地局と前記ユーザー端末とのインタラクションに使用される第２のサービスストリームマークとすることと、を含むことができ、
対応するように、前記ターゲット基地局が、前記第１のデータストリームマークと前記ターゲット基地局自身の状態とに基づいて、前記ターゲット基地局と前記ユーザー端末とのインタラクションに使用される第２のサービスストリームマークを設定することは、具体的には、
前記ターゲット基地局が前記ターゲット基地局自身の状態に基づいて、前記第１のデータストリームマークから、前記ターゲット基地局にサポートされる第１のデータストリームマークである第３のデータストリームマークを決定することと、
前記ターゲット基地局が、前記ターゲット基地局にサポートされつつ前記第１のデータストリームマークに含まれていないデータストリームマークである第４のデータストリームマークを取得することと、
前記ターゲット基地局が、前記第３のデータストリームマークを前記第４のデータストリームマークと共に、前記ターゲット基地局と前記ユーザー端末とのインタラクションに使用される第２のデータストリームマークとすることと、を含む。
【００３８】
なお、第２のＲＯＨＣコンテキスト情報と第１のＲＯＨＣコンテキスト情報との差は、ターゲット基地局とソース基地局との間の関係及び相違によって決められ、例えば、本実施例において、図１に示すように、ターゲット基地局Ｂ１３とソース基地局Ａ１２とが同一のＳ―ＧＷ１５に接続される場合、ＵＥ１１にとって、ターゲット基地局Ｂ１３による上り・下りデータ通信はソース基地局Ａ１２による上り・下りデータ通信と略同様なものであるため、第１のＲＯＨＣコンテキスト情報と第２のＲＯＨＣコンテキスト情報との差が大きくない。これに対し、ターゲット基地局とソース基地局とがそれぞれ異なるＳ―ＧＷに接続され、さらには、異なるＳ―ＧＷがそれぞれ異なるＭＭＥに管理される場合、第２のＲＯＨＣコンテキスト情報と第１のＲＯＨＣコンテキスト情報との差が相対的に大きくなり、本発明の実施例ではこれについて具体的に限定されていないことは理解できるものである。
【００３９】
本発明の実施例においてＲＯＨＣプロトコルに基づく切り替え方法が提供され、ユーザー端末が切り替わる中、ソース基地局が第１のＲＯＨＣコンテキスト情報を取得してターゲット基地局ヘ送信することにより、ターゲット基地局が当該第１のＲＯＨＣコンテキスト情報を学習して第２のＲＯＨＣコンテキスト情報を得ることができ、こうすれば、ユーザー端末が基地局間で切り替わった後においても、圧縮効率を高く保持することができる。
【００４０】
図２に示すような実施例に基づき、図３を参照して、本発明の実施例で提供されるＲＯＨＣプロトコルに基づく切り替え方法は、以下のステップＳ３０１〜Ｓ３０２をさらに含んでもよい。
【００４１】
Ｓ３０１：ソース基地局が第１のＲＯＨＣコンテキスト情報を取得する。
【００４２】
Ｓ３０２：ソース基地局が前記第１のＲＯＨＣコンテキスト情報をターゲット基地局に送信する。
【００４３】
例示的には、ソース基地局が、基地局間の切り替え中における任意時刻でターゲット基地局へ第１のＲＯＨＣコンテキスト情報を送信することができ、これにより、ターゲット基地局が前記第１のＲＯＨＣコンテキスト情報を学習して、ターゲット基地局とユーザー端末とのインタラクションに使用される第２のＲＯＨＣコンテキスト情報を得る。本実施例において、第１のＲＯＨＣコンテキスト情報をＲＯＨＣ同期情報として送信してもよいが、本発明の実施例ではこれについて何ら限定されていない。同様に、ＲＯＨＣ同期情報の具体的な形式として、個別のシグナリング情報であってもよいし、切り替え中にソース基地局から送信されたメッセージにカスタムフィールドの形で付加されるもの等であってもよいが、本発明の実施例ではこれについても何ら限定されていない。
【００４４】
ここで、前記第１のＲＯＨＣコンテキスト情報は、ソース基地局とユーザー端末とがインタラクションを取る際のＲＯＨＣを行う場合に使用されるＲＯＨＣコンテキスト情報である。
【００４５】
さらに、前記第１のＲＯＨＣコンテキスト情報は、ソース基地局と前記ユーザー端末とのインタラクションに使用される第１のサービスストリームマークと、第１のデータストリームマークと、第１のＲＯＨＣ動作モードと、第１の圧縮側と解凍側の状態と、第１の静的コンテキストと、第１の動的コンテキストとを含み、第１のサービスストリームマークと第１のデータストリームマークは、それぞれ、ソース基地局がユーザー端末とインタラクションを取る際にサポートするＲＯＨＣのサービスストリームとデータストリームのマークであり、第１のＲＯＨＣ動作モードは、ソース基地局と前記ユーザー端末とがインタラクションを取る際のＲＯＨＣを行う場合の動作モードであり、第１の圧縮側と解凍側の状態は、前記ソース基地局と前記ユーザー端末とがインタラクションを取る際のＲＯＨＣを行う場合の圧縮側と解凍側の状態であり、第１の静的コンテキストは、前記ソース基地局と前記ユーザー端末とがインタラクションを取る際のＲＯＨＣに必要な静的コンテキストであり、第１の動的コンテキストは、前記ソース基地局と前記ユーザー端末とがインタラクションを取る際のＲＯＨＣに必要な動的コンテキストである。
【００４６】
本発明の実施例においてＲＯＨＣプロトコルに基づく切り替え方法が提供され、ユーザー端末が切り替わる中、ソース基地局が第１のＲＯＨＣコンテキスト情報をターゲット基地局ヘ送信することにより、ターゲット基地局が当該第１のＲＯＨＣコンテキスト情報を学習して第２のＲＯＨＣコンテキスト情報を得ることができ、こうすれば、ユーザー端末が基地局間で切り替わった後においても、圧縮効率を高く保持することができる。
【００４７】
図４を参照して、本発明の実施例に係わる図１に示す応用場面で提供されるＲＯＨＣプロトコルに基づく切り替え方法の詳細な流れは、以下のステップ４０１〜ステップ４０２を含む。
【００４８】
ステップ４０１：ソース基地局が第１のＲＯＨＣコンテキスト情報をターゲット基地局に送信する。
【００４９】
例示的には、図１に示すような応用場面において、ＵＥ１１がソース基地局（基地局Ａ１２）の受信領域からターゲット基地局（基地局Ｂ１３）の受信領域に移動する場合、ＵＥ１１が各基地局の信号強度（例えば基地局Ａ１２や基地局Ｂ１３等）を測定し、測定結果を測定報告としてソース基地局に送信し、そして、ターゲット基地局が測定報告に基づいて当該ＵＥのためにサービスを提供し続けることができるか否かを判決し、当該ＵＥのためにサービスを提供し続けることができないと判決された場合、他の基地局（本実施例における基地局Ｂ１３）を切り替え対象となるターゲット基地局として選択することになる。この時、ソース基地局がターゲット基地局へ切り替え要求（Handover Request）メッセージを送信し、ＵＥ１１をソース基地局からターゲット基地局に切り替わらせ始めることになり、具体的な切り替え過程は本分野における周知技術であるため、ここではその説明を省略する。
【００５０】
なお、ＵＥ１１がソース基地局からターゲット基地局に切り替わる中、ソース基地局が当該第１のＲＯＨＣコンテキスト情報をＲＯＨＣ同期情報としてターゲット基地局に送信することができ、具体的な方式としては、ターゲット基地局が前記ＲＯＨＣ同期情報を、カスタムフィールドが付加される切り替え要求メッセージとし、当該切り替え要求メッセージをターゲット基地局に送信してもよいし、ソース基地局がターゲット基地局へ切り替え要求メッセージを送信した後、ターゲット基地局へＲＯＨＣ同期情報をさらに送信してもよい。具体的に方式については本発明の実施例では何ら限定されておらず、ソース基地局が切り替わる中にターゲット基地局へ前記第１のＲＯＨＣコンテキスト情報を送信するといった具体的な方式であれば、すべて本発明の実施例の保護範囲内のものである。
【００５１】
具体的には、第１のＲＯＨＣコンテキスト情報は、ソース基地局とユーザー端末とがインタラクションを取る際のＲＯＨＣを行う場合に使用されるＲＯＨＣコンテキスト情報であってもよい。
【００５２】
さらに、第１のＲＯＨＣコンテキスト情報は、ソース基地局とユーザー端末とのインタラクションに使用される第１のサービスストリームマークと、ソース基地局とユーザー端末とのインタラクションに使用される第１のデータストリームマークと、ソース基地局とユーザー端末とのインタラクションに使用される第１のＲＯＨＣ動作モードと、ソース基地局とユーザー端末とのインタラクションに使用される第１の圧縮側と解凍側の状態と、ソース基地局とユーザー端末とのインタラクションに使用される第１の静的コンテキストと、ソース基地局とユーザー端末とのインタラクションに使用される第１の動的コンテキストとを含むことができ、第１のサービスストリームマークと第１のデータストリームマークは、それぞれ、ソース基地局がユーザー端末とインタラクションを取る際にサポートするＲＯＨＣのサービスストリームとデータストリームのマークであり、第１のＲＯＨＣ動作モードは、ソース基地局と前記ユーザー端末とがインタラクションを取る際のＲＯＨＣを行う場合の動作モードであり、第１の圧縮側と解凍側の状態は、前記ソース基地局と前記ユーザー端末とがインタラクションを取る際のＲＯＨＣを行う場合の圧縮側と解凍側の状態であり、第１の静的コンテキストと第１の動的コンテキストは、前記ソース基地局と前記ユーザー端末とがインタラクションを取る際のＲＯＨＣに必要な静的コンテキストと動的コンテキストであり、表１に示すように、対応する内容には具体的なフィールドが対応している。
【００５３】
【表１】
0006422504.tif 000002
【００５４】
Modeの値として、片方向（Ｕ、Unidirectional）モードと、楽観（Ｏ、Optimistic）モードと、信頼性（Ｒ、Reliable）モードとを取ることができる。Stateの値として、圧縮側が初期化状態（ＩＲ、Initiation and Refresh state）、１階状態（ＦＯ、First Order state）、２階状態（ＳＯ、Second Order state）であり、解凍側が無コンテキスト状態（ＮＣ、No Context state）、フルコンテキスト状態（ＦＣ、Full Context state）、静的コンテキスト状態（ＳＣ、Static Context state）であることを取ることができる。StaticFiledとは、主として、ＩＰソースアドレス、ＩＰターゲットアドレス、ＵＤＰソースポート、ＵＤＰターゲットポート等、サービスストリーム情報を区別できるフィールドを指し、通常、静的コンテキスト情報をもいう。RefFiledとは、主として、ネットワークパケット標識番号（ＩＰＩＤ、Internet Protocol ID）フィールド、タイムスタンプ（ＴＳ、Time Stamp）フィールド、シーケンス番号（ＳＮ、Sequence Number）フィールド等を含むキーフィールドの基準値情報を指し、通常、動的コンテキスト情報をもいう。
【００５５】
ステップ４０２：ユーザー端末が切り替わった後、ターゲット基地局が前記第１のＲＯＨＣコンテキスト情報を学習して第２のＲＯＨＣコンテキスト情報を得る。
【００５６】
例示的には、前記ターゲット基地局が前記第１のＲＯＨＣコンテキスト情報を受信した後、それを学習することができ、本実施例において、ターゲット基地局が表１に示すような第１のＲＯＨＣコンテキスト情報を学習して、ユーザー端末とインタラクションを取る際のＲＯＨＣを行う場合に使用される第２のＲＯＨＣコンテキスト情報を得ることができ、前記第２のＲＯＨＣコンテキスト情報は、前記ターゲット基地局と前記ユーザー端末とのインタラクションに使用される第２のサービスストリームマークと、前記ターゲット基地局と前記ユーザー端末とのインタラクションに使用される第２のデータストリームマークと、前記ターゲット基地局と前記ユーザー端末とのインタラクションに使用される第２のＲＯＨＣ動作モードと、前記ターゲット基地局と前記ユーザー端末とのインタラクションに使用される第２の圧縮側と解凍側の状態と、前記ターゲット基地局と前記ユーザー端末とのインタラクションに使用される第２の静的コンテキストと、前記ターゲット基地局と前記ユーザー端末とのインタラクションに使用される第２の動的コンテキストとを含むことができ、具体的な説明については、上述した実施例で詳しく説明されているため、ここではその説明を省略する。
【００５７】
例示的には、ターゲット基地局が前記第１のＲＯＨＣコンテキスト情報を学習して第２のＲＯＨＣコンテキスト情報を得るステップは、具体的な過程として、
ターゲット基地局が、自身と前記ユーザー端末とのインタラクションに使用される第２のＲＯＨＣ動作モードとして前記第１のＲＯＨＣ動作モードを選択することと、
前記ターゲット基地局が、自身と前記ユーザー端末とのインタラクションに使用される第２の圧縮側と解凍側の状態として前記第１の圧縮側と解凍側の状態を選択することと、
前記ターゲット基地局が、前記第１の静的コンテキストを、自身と前記ユーザー端末とのインタラクションに使用される第２の静的コンテキストであって、サービスストリームを区別するための第２の静的コンテキストとすることと、
前記ターゲット基地局が、前記第１の動的コンテキストを、自身と前記ユーザー端末とのインタラクションに使用される第２の動的コンテキストであって、圧縮と解凍処理を行うための第２の動的コンテキストとすることと、
前記ターゲット基地局が、前記第１のサービスストリームマークと前記ターゲット基地局自身の状態とに基づいて、自身と前記ユーザー端末とのインタラクションに使用される第２のサービスストリームマークを設定することと、
前記ターゲット基地局が、前記第１のデータストリームマークと前記ターゲット基地局自身の状態とに基づいて、自身と前記ユーザー端末とのインタラクションに使用される第２のデータストリームマークを設定することと、を含むことができる。
【００５８】
さらに、ターゲット基地局が、前記第１のサービスストリームマークと前記ターゲット基地局自身の状態とに基づいて、自身と前記ユーザー端末とのインタラクションに使用される第２のサービスストリームマークを設定することは、具体的には、
ターゲット基地局が前記ターゲット基地局自身の状態に基づいて、前記第１のサービスストリームマークから、前記ターゲット基地局にサポートされる第１のサービスストリームマークである第３のサービスストリームマークを決定することと、
前記ターゲット基地局が、前記ターゲット基地局にサポートされつつ前記第１のサービスストリームマークに含まれていないサービスストリームマークである第４のサービスストリームマークを取得することと、
前記ターゲット基地局が、前記第３のサービスストリームマークを前記第４のサービスストリームマークと共に、前記ターゲット基地局と前記ユーザー端末とのインタラクションに使用される第２のサービスストリームマークとすることと、を含むことができる。
【００５９】
対応するように、前記ターゲット基地局が、前記第１のデータストリームマークと前記ターゲット基地局自身の状態とに基づいて、前記ターゲット基地局と前記ユーザー端末とのインタラクションに使用される第２のサービスストリームマークを設定することは、
前記ターゲット基地局が前記ターゲット基地局自身の状態に基づいて、前記第１のデータストリームマークから、前記ターゲット基地局にサポートされる第１のデータストリームマークである第３のデータストリームマークを決定することと、
前記ターゲット基地局が、前記ターゲット基地局にサポートされつつ前記第１のデータストリームマークに含まれていないデータストリームマークである第４のデータストリームマークを取得することと、
前記ターゲット基地局が、前記第３のデータストリームマークを前記第４のデータストリームマークと共に、前記ターゲット基地局と前記ユーザー端末とのインタラクションに使用される第２のデータストリームマークとすることと、を含む。
【００６０】
なお、第２のデータストリームマークの数は、ターゲット基地局自身にサポートされるものの数によって決められ、つまり、前記ターゲット基地局にサポートされる第１のデータストリームマークであっても、第１のデータストリームマークの数がターゲット基地局自身にサポートされるものの数とは異なる場合、ターゲット基地局自身にサポートされるものの数に準じる。
【００６１】
なお、さらに、第２のＲＯＨＣコンテキスト情報と第１のＲＯＨＣコンテキスト情報との差は、ターゲット基地局とソース基地局との間の関係及び相違によって決められることになり、例えば、本実施例において、図１に示すように、ターゲット基地局とソース基地局とが同一のＳ―ＧＷに接続される場合、ユーザー端末にとって、ターゲット基地局による上り・下りデータ通信はソース基地局による上り・下りデータ通信と略同様なものであるため、第１のＲＯＨＣコンテキスト情報と第２のＲＯＨＣコンテキスト情報との差が大きくない。これに対し、ターゲット基地局とソース基地局とがそれぞれ異なるＳ―ＧＷに接続され、さらには、異なるＳ―ＧＷがそれぞれ異なるＭＭＥに管理される場合、第２のＲＯＨＣコンテキスト情報と第１のＲＯＨＣコンテキスト情報との差が相対的に大きくなり、本発明の実施例ではこれについて具体的に限定されていないことは理解できるものである。
【００６２】
第１のＲＯＨＣコンテキスト情報と第２のＲＯＨＣコンテキスト情報との差は、ソース基地局とターゲット基地局との差を表現するものに過ぎず、ユーザー端末側には変化がないことは、理解できるものであり、したがって、ユーザー端末が切り替わってから、ターゲット基地局へ切り替え確認情報を送信した後、ユーザー端末側は、何ら変化する必要もなく、ターゲット基地局との間で第２のＲＯＨＣコンテキスト情報によりヘッダ圧縮を行うことができ、初期状態とターゲット基地局との間におけるコンテキストの再度の相互学習及び保持を必要としないので、切り替え過程後のＲＯＨＣの圧縮効率を向上させる。
【００６３】
本発明の実施例においてＲＯＨＣプロトコルに基づく切り替え方法が提供され、ユーザー端末が切り替わる中、ソース基地局が第１のＲＯＨＣコンテキスト情報をターゲット基地局へ送信することにより、ターゲット基地局が当該第１のＲＯＨＣコンテキスト情報に基づいて学習して、ソース基地局とユーザー端末とのインタラクションを取る際のＲＯＨＣを行う場合に使用される第２のＲＯＨＣコンテキスト情報を得ることができ、こうすれば、ユーザー端末が基地局間で切り替わった後においても、圧縮効率を高く保持することができる。
【００６４】
図５を参照して、本発明の実施例で提供されるターゲット基地局５０は、
ソース基地局から送信された第１のＲＯＨＣコンテキスト情報を受信するように構成される受信ユニット５０１と、
前記第１のＲＯＨＣコンテキスト情報を学習して第２のＲＯＨＣコンテキスト情報を得るように構成される学習ユニット５０２と、を備える。
【００６５】
例示的には、受信ユニット５０１は、基地局間の切り替え中における任意時刻でソース基地局から第１のＲＯＨＣコンテキスト情報を受信することができ、本実施例において、第１のＲＯＨＣコンテキスト情報をＲＯＨＣ同期情報として受信してもよいが、本発明の実施例ではこれについて何ら限定されていない。同様に、ＲＯＨＣ同期情報の具体的な形式として、個別のシグナリング情報であってもよいし、切り替え中に、ソース基地局から送信されたメッセージにカスタムフィールドの形で付加されるもの等であってもよいが、本発明の実施例ではこれについても何ら限定されていない。具体的には、第１のＲＯＨＣコンテキスト情報は、ソース基地局とユーザー端末とがインタラクションを取る際のＲＯＨＣを行う場合に使用されるＲＯＨＣコンテキスト情報である。
【００６６】
さらに、前記第１のＲＯＨＣコンテキスト情報は、前記ソース基地局と前記ユーザー端末とのインタラクションに使用される第１のサービスストリームマークと、前記ソース基地局と前記ユーザー端末とのインタラクションに使用される第１のデータストリームマークと、前記ソース基地局と前記ユーザー端末とのインタラクションに使用される第１のＲＯＨＣ動作モードと、前記ソース基地局と前記ユーザー端末とのインタラクションに使用される第１の圧縮側と解凍側の状態と、前記ソース基地局と前記ユーザー端末とのインタラクションに使用される第１の静的コンテキストと、前記ソース基地局と前記ユーザー端末とのインタラクションに使用される第１の動的コンテキストとを含むことができ、第１のサービスストリームマークと第１のデータストリームマークは、それぞれ、ソース基地局がユーザー端末とインタラクションを取る際にサポートするＲＯＨＣのサービスストリームとデータストリームのマークであり、第１のＲＯＨＣ動作モードは、ソース基地局と前記ユーザー端末とがインタラクションを取る際のＲＯＨＣを行う場合の動作モードであり、第１の圧縮側と解凍側の状態は、前記ソース基地局と前記ユーザー端末とがインタラクションを取る際のＲＯＨＣを行う場合の圧縮側と解凍側の状態であり、第１の静的コンテキストと第１の動的コンテキストは、前記ソース基地局と前記ユーザー端末とがインタラクションを取る際のＲＯＨＣに必要な静的コンテキストと動的コンテキストであり、対応する内容は表１に示すようなものであり、ここではその説明を省略する。
【００６７】
さらに、第２のＲＯＨＣコンテキスト情報は、ターゲット基地局５０とユーザー端末とがインタラクションを取る際のＲＯＨＣを行う場合に使用されるＲＯＨＣコンテキスト情報であり、それも、ターゲット基地局５０とユーザー端末とのインタラクションに使用される第２のサービスストリームマークと、ターゲット基地局５０とユーザー端末とのインタラクションに使用される第２のデータストリームマークと、ターゲット基地局５０とユーザー端末とのインタラクションに使用される第２のＲＯＨＣ動作モードと、ターゲット基地局５０とユーザー端末とのインタラクションに使用される第２の圧縮側と解凍側の状態と、ターゲット基地局５０とユーザー端末とのインタラクションに使用される第２の静的コンテキストと、ターゲット基地局５０とユーザー端末とのインタラクションに使用される第２の動的コンテキストとを含むことができ、具体的には、上述した実施例で説明しているため、ここではその説明を省略する。
【００６８】
例示的には、学習ユニット５０２は、
前記ターゲット基地局５０自身と前記ユーザー端末とのインタラクションに使用される第２のＲＯＨＣ動作モードとして前記第１のＲＯＨＣ動作モードを選択するように構成される第１の学習手段と、
前記ターゲット基地局５０自身と前記ユーザー端末とのインタラクションに使用される第２の圧縮側と解凍側の状態として前記第１の圧縮側と解凍側の状態を選択するように構成される第２の学習手段と、
前記第１の静的コンテキストを、前記ターゲット基地局５０自身と前記ユーザー端末とのインタラクションに使用される第２の静的コンテキストであって、サービスストリームを区別するための第２の静的コンテキストとするように構成される第３の学習手段と、
前記第１の動的コンテキストを、前記ターゲット基地局５０自身と前記ユーザー端末とのインタラクションに使用される第２の動的コンテキストであって、圧縮と解凍処理を行うための第２の動的コンテキストとするように構成される第４の学習手段と、
前記第１のサービスストリームマークとターゲット基地局５０自身の状態とに基づいて、自身と前記ユーザー端末とのインタラクションに使用される第２のサービスストリームマークを設定するように構成される第５の学習手段と、
前記第１のデータストリームマークと前記ターゲット基地局自身の状態とに基づいて、自身と前記ユーザー端末とのインタラクションに使用される第２のデータストリームマークを設定するように構成される第６の学習手段と、を含む。
【００６９】
さらに、第５の学習手段は、
前記ターゲット基地局自身の状態に基づいて、前記第１のサービスストリームマークから、前記ターゲット基地局にサポートされる第１のサービスストリームマークである第３のサービスストリームマークを決定するように構成される第１の決定サブ手段と、
前記ターゲット基地局にサポートされつつ前記第１のサービスストリームマークに含まれていないサービスストリームマークである第４のサービスストリームマークを取得するように構成される第１の取得サブ手段と、
前記第３のサービスストリームマークを前記第４のサービスストリームマークと共に、ターゲット基地局５０とユーザー端末とのインタラクションに使用される前記第２のサービスストリームマークとするように構成される第１の学習サブ手段と、を含み、
対応するように、前記第６の学習手段は、
前記ターゲット基地局自身の状態に基づいて、前記第１のサービスストリームマークから、前記ターゲット基地局にサポートされる第１のデータストリームマークである第３のデータストリームマークを決定するように構成される第２の決定サブ手段と、
前記ターゲット基地局にサポートされつつ前記第１のデータストリームマークに含まれていないデータストリームマークである第４のデータストリームマークを取得するように構成される第２の取得サブ手段と、
前記第３のデータストリームマークを前記第４のデータストリームマークと共に、ターゲット基地局５０とユーザー端末とのインタラクションに使用される前記第２のデータストリームマークとするように構成される第２の学習サブ手段と、を含む。
【００７０】
なお、第２のデータストリームマークの数は、ターゲット基地局自身にサポートされるものの数によって決められ、つまり、前記ターゲット基地局にサポートされる第１のデータストリームマークであっても、第１のデータストリームマークの数がターゲット基地局自身にサポートされるものの数とは異なる場合、ターゲット基地局自身にサポートされるものの数に準じる。
【００７１】
なお、第２のＲＯＨＣコンテキスト情報と第１のＲＯＨＣコンテキスト情報との差は、ターゲット基地局とソース基地局との間の関係及び相違によって決められることになり、例えば、本実施例において、図１に示すように、ターゲット基地局とソース基地局とが同一のＳ―ＧＷに接続される場合、ユーザー端末にとって、ターゲット基地局による上り・下りデータ通信はソース基地局による上り・下りデータ通信と略同様なものであるため、第１のＲＯＨＣコンテキスト情報と第２のＲＯＨＣコンテキスト情報との差が大きくない。これに対し、ターゲット基地局とソース基地局とがそれぞれ異なるＳ―ＧＷに接続され、さらには、異なるＳ―ＧＷがそれぞれ異なるＭＭＥに管理される場合、第２のＲＯＨＣコンテキスト情報と第１のＲＯＨＣコンテキスト情報との差が相対的に大きくなり、本発明の実施例ではこれについて具体的に限定されていないことは理解できるものである。
【００７２】
第１のＲＯＨＣコンテキスト情報と第２のＲＯＨＣコンテキスト情報との差は、ソース基地局とターゲット基地局との差を表現するものに過ぎず、ユーザー端末側には変化がないことは、理解できるものであり、したがって、ユーザー端末が切り替わってから、ターゲット基地局へ切り替え確認情報を送信した後、ユーザー端末側は、何ら変化する必要もなく、ターゲット基地局との間で第２のＲＯＨＣコンテキスト情報によりヘッダ圧縮を行うことができ、初期状態とターゲット基地局との間におけるコンテキストの再度の相互学習及び保持を必要としないので、切り替え過程後のＲＯＨＣの圧縮効率を向上させる。
【００７３】
なお、図６に示すように、ターゲット基地局５０は、
前記第２のＲＯＨＣコンテキスト情報を記憶するように構成される第１の記憶ユニット５０３をさらに備えてもよい。
【００７４】
ここで、第１の記憶ユニット５０３は、具体的には、発揮性メモリ及び／又は不発揮性メモリを含むことができる。例を挙げると、不発揮性メモリは、リードオンリーメモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、フラッシュメモリ及び／又は不発揮性ランダムアクセスメモリ（ＮＶＲＡＭ）を含むが、これには限定されない。発揮性メモリは、外部キャッシュメモリとすることができるランダムアクセスメモリ（ＲＡＭ）を含む。例を挙げると、ＲＡＭは、スタティックＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンスドＳＤＲＡＭ（ＥＳＤＲＡＭ）、シンクロナスリンクＤＲＡＭ（ＳＬＤＲＡＭ）、及びダイレクトＲａｍｂｕｓ  ＲＡＭ（ＤＲＲＡＭ）といった複数の形式があるが、これには限定されない。第１の記憶ユニット５０３は、上述したような又は適当であれば他のいかなるタイプのメモリを含むが、これに限定されるものではない。
【００７５】
本発明の実施例においてターゲット基地局５０が提供され、ユーザー端末が切り替わる中、ターゲット基地局５０がソース基地局から送信された第１のＲＯＨＣコンテキスト情報を受信し、当該第１のＲＯＨＣコンテキスト情報に基づいて学習して、第２のＲＯＨＣコンテキスト情報を得ることにより、ユーザー端末が基地局間で切り替わった後においても、圧縮効率を高く保持することができる。
【００７６】
図７は、本発明の実施例で提供されるソース基地局７０を示し、前記ソース基地局７０は、
第１のＲＯＨＣコンテキスト情報を取得するように構成される取得ユニット７０１と、
前記第１のＲＯＨＣコンテキスト情報をターゲット基地局へ送信するように構成される送信ユニット７０２と、を備える。
【００７７】
例示的には、ＵＥ１１がソース基地局７０からターゲット基地局に切り替わる中、送信ユニット７０１は、基地局間の切り替え中における任意時刻で第１のＲＯＨＣコンテキスト情報をターゲット基地局へ送信することができ、これにより、ターゲット基地局が前記第１のＲＯＨＣコンテキスト情報を学習して、ターゲット基地局とユーザー端末とのインタラクションに使用される第２のＲＯＨＣコンテキスト情報を得る。本実施例において、第１のＲＯＨＣコンテキスト情報をＲＯＨＣ同期情報として送信してもよいが、本発明の実施例ではこれについて何ら限定されていない。同様に、ＲＯＨＣ同期情報の具体的な形式として、個別のシグナリング情報であってもよいし、切り替え中に、ソース基地局７０から送信されたメッセージにカスタムフィールドの形で付加されるもの等であってもよいが、本発明の実施例ではこれについても何ら限定されていない。
【００７８】
ここで、前記第１のＲＯＨＣコンテキスト情報は、ソース基地局７０とユーザー端末とがインタラクションを取る際のＲＯＨＣを行う場合に使用されるＲＯＨＣコンテキスト情報である。
【００７９】
さらに、第１のＲＯＨＣコンテキスト情報は、ソース基地局７０とユーザー端末とのインタラクションに使用される第１のサービスストリームマークと、ソース基地局７０とユーザー端末とのインタラクションに使用される第１のデータストリームマークと、ソース基地局７０とユーザー端末とのインタラクションに使用される第１のＲＯＨＣ動作モードと、ソース基地局７０とユーザー端末とのインタラクションに使用される第１の圧縮側と解凍側の状態と、ソース基地局７０とユーザー端末とのインタラクションに使用される第１の静的コンテキストと、ソース基地局７０とユーザー端末とのインタラクションに使用される第１の動的コンテキストとを含み、第１のサービスストリームマークと第１のデータストリームマークは、それぞれ、ソース基地局７０がユーザー端末とインタラクションを取る際にサポートするＲＯＨＣのサービスストリームとデータストリームのマークであり、第１のＲＯＨＣ動作モードは、ソース基地局７０と前記ユーザー端末とがインタラクションを取る際のＲＯＨＣを行う場合の動作モードであり、第１の圧縮側と解凍側の状態は、前記ソース基地局７０と前記ユーザー端末とがインタラクションを取る際のＲＯＨＣを行う場合の圧縮側と解凍側の状態であり、第１の静的コンテキストと第１の動的コンテキストは、前記ソース基地局７０と前記ユーザー端末とがインタラクションを取る際のＲＯＨＣに必要な静的コンテキストと動的コンテキストであり、表１に示すように、対応する内容には具体的なフィールドが対応しており、ここではその説明を省略する。
【００８０】
なお、図８に示すように、ソース基地局７０は、第１のＲＯＨＣコンテキスト情報を記憶するように構成される第２の記憶ユニット７０３をさらに備えてもよく、第２の記憶ユニット７０３は、具体的には、発揮性メモリ及び／又は不発揮性メモリを含むことができる。例を挙げると、不発揮性メモリは、リードオンリーメモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、フラッシュメモリ及び／又は不発揮性ランダムアクセスメモリ（ＮＶＲＡＭ）を含むが、これには限定されない。発揮性メモリは、外部キャッシュメモリとすることができるランダムアクセスメモリ（ＲＡＭ）を含む。例を挙げると、ＲＡＭは、スタティックＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンスドＳＤＲＡＭ（ＥＳＤＲＡＭ）、シンクロナスリンクＤＲＡＭ（ＳＬＤＲＡＭ）、及びダイレクトＲａｍｂｕｓ  ＲＡＭ（ＤＲＲＡＭ）といった複数の形式があるが、これには限定されない。第２の記憶ユニット７０２は、上述したような又は適当であれば他のいかなるタイプのメモリを含むが、これに限定されるものではない。
【００８１】
本発明の実施例においてソース基地局７０が提供され、ユーザー端末が切り替わる中、ソース基地局７０が第１のＲＯＨＣコンテキスト情報をターゲット基地局ヘ送信することにより、ターゲット基地局が当該第１のＲＯＨＣコンテキスト情報に基づいて学習して第２のＲＯＨＣコンテキスト情報を得ることができ、こうすれば、ユーザー端末が基地局間で切り替わった後においても、圧縮効率を高く保持することができる。
【００８２】
図９を参照して、本発明の実施例で提供されるＲＯＨＣプロトコルに基づく切り替えシステム９０は、上述した何れかの実施例に記載のソース基地局７０と、上述した何れかの実施例に記載のターゲット基地局５０と、を有することができる。
【００８３】
例示的には、図１０を参照して、当該システムは、ユーザー端末１００をさらに有してもよく、ユーザー端末１００は、携帯電話、コードレス電話、セッション確立プロトコル（ＳＩＰ）電話、パーソナルデジタルアシスタント（ＰＤＡ）、無線接続能力を持つ携帯用デバイス、スマートフォン、タブレット及び他のデバイスであってもよいが、ここでは何ら限定されていない。
【００８４】
本発明の実施例においてＲＯＨＣプロトコルに基づく切り替えシステム９０が提供され、ユーザー端末１００が切り替わる中、ソース基地局７０が第１のＲＯＨＣコンテキスト情報をターゲット基地局５０ヘ送信することにより、ターゲット基地局５０が当該第１のＲＯＨＣコンテキスト情報に基づいて学習して第２のＲＯＨＣコンテキスト情報を得ることができ、こうすれば、ユーザー端末１００が基地局間で切り替わった後においても、圧縮効率を高く保持することができる。
【００８５】
本発明の実施例で提供されるターゲット基地局における受信ユニットと、学習ユニットと、学習ユニットに含まれる手段と、上述した手段のそれぞれに含まれる各サブ手段は、いずれもターゲット基地局におけるプロセッサにより実現されることができ、また、本発明の実施例で提供されるソース基地局における取得ユニットと送信ユニットは、いずれもソース基地局におけるプロセッサにより実現されることができるが、もちろん、具体的な論理回路により実現されてもよい。具体的な実施例の過程において、プロセッサは、セントラルプロセッシングユニット（ＣＰＵ、Central Processing Unit）、マイクロプロセッサ（ＭＰＵ、Micro Processor Unit）、デジタルシグナルプロセッサ（ＤＳＰ、Digital Signal Processor）又はフィールドプログラマブルゲートアレイ（ＦＰＧＡ、Field Programmable Gate Array）等であってもよい。
【００８６】
本発明の実施例において、上述したＲＯＨＣプロトコルに基づく切り替え方法をソフトウェア機能手段の形で実現するとともに、独立した製品として販売又は利用する場合であれば、コンピュータ読み取り可能な記憶媒体に格納してもよい。このように理解されると、本発明の実施例の技術案は、実質上、言い換えれば従来技術に貢献する部分はソフトウェア製品の形で表現されることができ、当該コンピュータソフトウェア製品は記憶媒体に格納されるものであり、コンピュータ機器（パーソナルコンピュータ、サーバ、又はネットワークデバイス等であってもよい）に本発明の各実施例に記載の方法の全部又は一部を実行させるコマンドを若干含む。上述した記憶媒体は、Ｕディスク、ポータブルハードディスク、リードオンリーメモリ（ＲＯＭ、Read Only Memory）、磁気ディスク又は光ディスク等、プログラムコードを格納可能な様々な媒体を含む。このように、本発明の実施例は、いかなる特定のハードウェアとソフトウェアの結合に限定されない。
【００８７】
対応するように、本発明の実施例において、コンピュータ実行可能なコマンドが格納されているコンピュータ読み取り可能な記憶媒体がさらに提供され、前記コンピュータ実行可能なコマンドは、本発明の上述した各実施例で提供されるＲＯＨＣプロトコルに基づく切り替え方法を実行するためのものである。
【００８８】
以上は、本発明の具体的な実施形態に過ぎず、本発明の保護範囲はこれに制約されず、当業者が本発明に開示された技術的範囲内で容易に想到し得る変更や置き換えは、すべて本発明の保護範囲内に含まれるべきである。それゆえ、記載した請求項の保護範囲に基づいて本発明の保護範囲が定められるべきである。
【産業上の利用可能性】
【００８９】
本発明の実施例において、ソース基地局から送信された第１のＲＯＨＣコンテキスト情報を受信し、前記第１のＲＯＨＣコンテキスト情報を学習して第２のＲＯＨＣコンテキスト情報を得るように、ユーザー端末が切り替わる中、ソース基地局が第１のＲＯＨＣコンテキスト情報をターゲット基地局ヘ送信することにより、ターゲット基地局が当該第１のＲＯＨＣコンテキスト情報を学習して第２のＲＯＨＣコンテキスト情報を得ることができ、こうすれば、ユーザー端末が基地局間で切り替わった後においても、圧縮効率を高く保持することができる。
【図１】
0006422504.tif 000003
【図２】
0006422504.tif 000004
【図３】
0006422504.tif 000005
【図４】
0006422504.tif 000006
【図５】
0006422504.tif 000007
【図６】
0006422504.tif 000008
【図７】
0006422504.tif 000009
【図８】
0006422504.tif 000010
【図９】
0006422504.tif 000011
【図１０】
0006422504.tif 000012